(57)【要約】      （修正有）【課題】電池保持片の塑性変形を防止することの可能な電池ホルダを提供する。【解決手段】各電池保持片１１の外側に設けられ、各電池保持片１１の外側への変位量を所定の範囲（Ｘ１）内に規制する一対の規制片１２ｃを備えたので、各電池保持片１１のホルダ本体１０の外側への変位量を小さくすることができ、各電池保持片１１の塑性変形を確実に防止することができる。従って、ホルダ本体１０が揺動した場合でもホルダ本体１０から電池１が外れることを確実に防止することができる。【選択図】図６
2008010301.tif 000002
【特許請求の範囲】
【請求項１】
電池の一端面側に配置されるホルダ本体と、電池をホルダ本体に保持する複数の電池保持片と、電池の電極に接触する端子とを備え、各電池保持片をそれぞれホルダ本体から電池の他端面側に延びるように互いにホルダ本体の周方向に間隔をおいて設けるとともに、各電池保持片の先端に設けた係止部を電池の他端面に係止して電池を保持するようにした電池ホルダにおいて、
前記各電池保持片の外側に設けられ、各電池保持片の外側への変位量を所定の範囲内に規制する規制部を備えた
ことを特徴とする電池ホルダ。
【請求項２】
前記規制部をホルダ本体の周方向に沿って延びるように形成した
ことを特徴とする請求項１記載の電池ホルダ。
【請求項３】
前記規制部を端子に一体に設けた
ことを特徴とする請求項１または２記載の電池ホルダ。
【請求項４】
前記規制部を端子の幅方向両端側にそれぞれ設けた
ことを特徴とする請求項１、２または３記載の電池ホルダ。
【発明の詳細な説明】
【技術分野】
【０００１】
本発明は、携帯電話機等の小型電化機器に用いられる電池ホルダに関するものである。
【背景技術】
【０００２】
一般に、携帯電話機等の小型電化機器には、いわゆるボタン形またはコイン形の小型リチウム電池が使用されており、この電池は機器本体内の回路基板等に実装された電池ホルダに保持されている。
【０００３】
従来の電池ホルダは、図７に示すように電池１の一端面側に配置されるホルダ本体２と、電池１をホルダ本体２に保持する複数の電池保持片３と、電池１の電極に接触する一対の端子４とを備え、各電池保持片３の先端に設けた係止部３ａを電池１の他端面に係止して電池１を保持するようにしたものが知られている。
【特許文献１】特開２００３−１５１５２１号公報
【発明の開示】
【発明が解決しようとする課題】
【０００４】
しかしながら、前記従来例では、機器本体の落下衝撃等によりホルダ本体２が揺動すると、図８の破線に示すように電池１がホルダ本体１０内を移動して電池保持片１１をホルダ本体１０の外方に押圧する。この場合、電池保持片１１は、図８の一点鎖線に示すようにホルダ本体２の外側に大きく偏った変形を生じ易くなる。このとき、電池保持片３に変位量Ｘの変形が生じると、電池保持片３が塑性変形して電池１を保持することができなくなり、電池１がホルダ本体１０から外れるおそれがあるという問題点があった。
【０００５】
本発明は前記問題点に鑑みてなされたものであり、その目的とするところは、電池保持片の塑性変形を防止することの可能な電池ホルダを提供することにある。
【課題を解決するための手段】
【０００６】
本発明は、前記目的を達成するために、電池の一端面側に配置されるホルダ本体と、電池をホルダ本体に保持する複数の電池保持片と、電池の電極に接触する端子とを備え、各電池保持片をそれぞれホルダ本体から電池の他端面側に延びるように互いにホルダ本体の周方向に間隔をおいて設けるとともに、各電池保持片の先端に設けた係止部を電池の他端面に係止して電池を保持するようにした電池ホルダにおいて、前記各電池保持片の外側に設けられ、各電池保持片の外側への変位量を所定の範囲内に規制する規制部を備えている。
【０００７】
これにより、各電池保持片のホルダ本体の外側への変位量が所定の範囲内に規制されるので、各電池保持片のホルダ本体の外側への変位量が小さくなる。
【発明の効果】
【０００８】
本発明によれば、各電池保持片のホルダ本体の外側への変位量を小さくすることができるので、各電池保持片の塑性変形を確実に防止することができる。従って、ホルダ本体１０が揺動した場合でもホルダ本体１０から電池１が外れることを確実に防止することができる。
【発明を実施するための最良の形態】
【０００９】
図１乃至図６は本発明の一実施形態を示すもので、図１はコネクタの正面側斜視図、図２はコネクタの平面図、図３はコネクタの正面図、図４はコネクタのＡ−Ａ断面図、図５はコネクタのＢ−Ｂ断面図、図６はコネクタのＣ−Ｃ断面図である。
【００１０】
この電池ホルダは、電池１の一端面側に配置される絶縁性のホルダ本体１と、電池１をホルダ本体１０に保持する計４つの電池保持片１１と、電池１のプラス電極１ａに接触する第１の端子１２と、電池１のマイナス電極１ｂに接触する第２の端子１３と、各端子１２，１３が取付けられる一対の端子取付部１４とから構成されている。
【００１１】
ホルダ本体１０は合成樹脂からなり、その底面側は電池１の外径とほぼ同等の大きさに形成されている。また、ホルダ本体１０には第１の端子１２を収納するスリット１０ａが設けられている。
【００１２】
各電池保持片１１はホルダ本体１０に一体に形成された合成樹脂からなり、互いにホルダ本体１０の周方向に等間隔で配置されている。各電池保持片１１はそれぞれホルダ本体１０の底面部から上方に延び、電池１の径方向に弾性変形可能に形成されている。各電池保持片１１の上端にはそれぞれ電池１に係止する係止爪１１ａが設けられ、各係止爪１１ａの上端面の一部にはホルダ本体１０の中心側に向かって下り傾斜をなす傾斜面１１ｂが設けられている。
【００１３】
第１の端子１２は導電性の金属板からなり、中央部を逆Ｕ字状に折り曲げられ、一方の端子取付部１４に取付けられている。第１の端子１２の一端側はホルダ本体１０の外側に延び、回路基板等との接続部１２ａをなす。また、第１の端子１２の他端側は電池１のプラス電極１ａの周面側に接触する接触部１２ｂをなし、電池１に弾性的に圧接するように略Ｕ字状に形成されている。また、第１の端子１２の中央部における幅方向両端側には、それぞれホルダ本体１０の周方向に沿って延びるように形成された一対の規制片１２ｃが第１の端子１２に一体に設けられている。各規制片１２ｃは、第１の端子１２が一方の端子取付部１４に取付けられると、図２に示すように一方の端子取付部１４側に配置された各電池保持片１１の外側に位置して、その各電池保持片１１の外方への弾性変形を所定範囲内に規制するようになっている。
【００１４】
第２の端子１３は導電性の金属板からなり、中央部を逆Ｕ字状に折り曲げられ、他方の端子取付部１４に取付けられている。第２の端子１３の一端側はホルダ本体１０の外側に延び、回路基板等との接続部１３ａをなす。また、第２の端子１３の他端側はホルダ本体１０の内側に延び、電池１のマイナス電極１ｂに接触する接触部１３ｂをなす。この場合、接触部１３ｂはホルダ本体１０のスリット１０ａ内に収容され、電池１に弾性的に圧接するように先端側がやや上方に屈曲している。また、第２の端子１３の中央部における幅方向両端側には、それぞれホルダ本体１０の周方向に沿って延びるように形成された一対の規制片１３ｃが第２の端子１３に一体に設けられている。各規制片１３ｃは、第２の端子１３が他方の端子取付部１４に取付けられると、図２に示すように他方の端子取付部１４側に配置された各電池保持片１１の外側に位置して、その各電池保持片１１の外方への弾性変形を所定範囲内に規制するようになっている。
【００１５】
各端子取付部１４はホルダ本体１０に一体に形成された合成樹脂からなり、端子１２（１３）を挟持する内側挟持片１４ａ及び外側挟持片１４ｂからなる。各挟持片１４ａ，１４ｂは互いに幅方向に間隔をおいて一対ずつ設けられ、それぞれの各挟持片１４ａ，１４ｂによって端子１２（１３）が保持され、一方の各挟持片１４ａ，１４ｂ間及び他方の各挟持片１４ａ，１４ｂ間からはそれぞれ端子１２（１３）の接続部１２ａ（１３ａ）、接触部１２ｂ（１３ｂ）及び各規制片１２ｃ（１３ｃ）が延出している。
【００１６】
以上のように構成された電池ホルダは、携帯電話機等の小型電化機器に用いられ、機器本体内の回路基板等に実装される。そして、図５に示すようにホルダ本体１０に電池１が押し込まれると、各電池保持片１１の傾斜面１１ｂが電池１に押圧されて各電池保持片１１が外側に押し広げられ、電池１が各電池保持片１１間に収容される。その際、各電池保持片１１の係止爪１１ａが電池１の上面に係止し、電池１が各電池保持片１１によってホルダ本体１０に保持される。これにより、電池１のプラス電極１ａの周面側には第１の端子１２の接触部１２ｂが電気的に接触し、マイナス電極１ｂには第２の端子１３の接触部１３ｂが電気的に接触する。
【００１７】
このとき、機器本体の落下衝撃等によりホルダ本体１０が揺動すると、図６に示すように各電池保持片１１に保持された電池１がホルダ本体１０内を移動して電池保持片１１を押圧する。そして、電池１に押圧された電池保持片１１はホルダ本体１０の外側に向かって弾性変形するが、電池保持片１１の外側には各規制片１２ｃ（１３ｃ）が設けられているので、電池保持片１１の弾性変形が各規制片１２ｃ（１３ｃ）によって規制される。このときの電池保持片１１の変位量はＸ１となり、図８で示した従来例の変位量（Ｘ）と比較して小さくなる。
【００１８】
このように、本実施形態の電池ホルダによれば、各電池保持片１１の外側に設けられ、各電池保持片１１の外側への変位量を所定の範囲（Ｘ１）内に規制する一対の規制片１２ｃ，１３ｃを備えたので、各電池保持片１１のホルダ本体１０の外側への変位量を小さくすることができ、各電池保持片１１の塑性変形を確実に防止することができる。従って、ホルダ本体１０が揺動した場合でもホルダ本体１０から電池１が外れることを確実に防止することができる。
【００１９】
また、各規制片１２ｃ，１３ｃをホルダ本体１０の周方向に沿って延びるように形成したので、電池１の径方向への各電池保持片１１の変形を確実に所定の範囲（Ｘ１）内に規制することができる。
【００２０】
さらに、各規制片１２ｃ，１３ｃを各端子１２，１３のそれぞれに一体に設けたので、各規制片１２ｃ，１３ｃの押圧強度を向上させることができ、各電池保持片１１から押圧されることによる規制片１２ｃ，１３ｃの破損を確実に防止することができる。
【００２１】
さらにまた、各規制片１２ｃ，１３ｃを各端子１２，１３の幅方向両端側にそれぞれ設けたので、各端子１２，１３の幅方向両端側にそれぞれ近接して配置された電池保持片１１の弾性変形を所定範囲（Ｘ１）内に規制することができる。
【００２２】
なお、前記実施形態では、各端子１２，１３に各規制片１２ｃ，１３ｃを設けたものを示したが、ホルダ本体１０に規制部を設けてもよい。
【００２３】
また、前記実施形態では、各規制片１２ｃ，１３ｃを各端子１２，１３の幅方向両端側にそれぞれ設けたものを示したが、各規制片１２，１３ｃを、それぞれ各端子１２，１３の幅方向一端側に、且つホルダ本体１０を間にして互いに対向するように設けてもよい。
【図面の簡単な説明】
【００２４】
【図１】本発明の一実施形態による電池ホルダの分解斜視図
【図２】電池ホルダの平面図
【図３】電池ホルダの底面図
【図４】電池ホルダのＡ−Ａ線方向側面図
【図５】電池ホルダのＢ−Ｂ線方向側面断面図
【図６】電池保持片の動作を示す要部拡大図
【図７】従来例を示す電池ホルダの平面図
【図８】従来例を示す電池ホルダの電池保持片の動作を示す要部拡大図
【符号の説明】
【００２５】
１…電池、１０…ホルダ本体、１１…複数の電池保持片、１１ａ…係止爪、１２，１３…端子、１２ｃ，１３ｃ…一対の規制片。
【図１】
2008010301.tif 000003
【図２】
2008010301.tif 000004
【図３】
2008010301.tif 000005
【図４】
2008010301.tif 000006
【図５】
2008010301.tif 000007
【図６】
2008010301.tif 000008
【図７】
2008010301.tif 000009
【図８】
2008010301.tif 000010